【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
ウェアラブルデバイスを用いる決済方法であって：
前記ウェアラブルデバイスにより送信される決済トークンを商店デバイス端末で受信するステップ（Ｓ１１０）と；
前記決済トークンを検証のために、前記商店デバイス端末から決済サーバへ送信するステップ（Ｓ１２０）と；
前記検証の成功後、前記決済サーバにより返されるサービスコンテンツを前記商店デバイス端末で受信し、前記サービスコンテンツを前記商店デバイス端末によりユーザに提供するステップ（Ｓ１３０）と；を備え、
前記決済トークンが検証された後に、前記決済サーバが決済処理を実行する、
ウェアラブルデバイスを用いる決済方法。
【請求項２】
前記ウェアラブルデバイスにより送信される前記ウェアラブルデバイスの前記決済トークンは、Ｂｌｕｅｔｏｏｔｈ（登録商標）又はＮＦＣを介して前記商店デバイス端末により受信される、
請求項１に記載の決済方法。
【請求項３】
ウェアラブルデバイスを用いる決済方法であって、
ウェアラブルデバイスによって実行され：
ユーザの事前に定めた命令を受信するステップ（Ｓ４１０）と；
前記事前に定めた命令に基づいて、ウェアラブルデバイスの決済トークンを商店デバイス端末に送信するステップ（Ｓ４２０）と；を備え、
前記商店デバイス端末は、前記決済トークンに基づいて検証を実行し、前記検証が成功した後に前記ユーザにサービスコンテンツを提供し、
決済サーバは、前記決済トークンが検証された後に、決済処理を実行する、
ウェアラブルデバイスを用いる決済方法。
【請求項４】
前記ウェアラブルデバイスにより送信される前記ウェアラブルデバイスの前記決済トークンが受信される前に：
前記ユーザの事前に定めた命令を、前記ウェアラブルデバイスにより受信するステップと；
前記事前に定めた命令に基づいて前記決済トークンを、前記ウェアラブルデバイスにより前記商店デバイス端末へ送信するステップと；を更に備える、
請求項３に記載の決済方法。
【請求項５】
前記事前に定めた命令は：
前記ウェアラブルデバイスが前記ユーザのタップ命令を受信し、タップ頻度が第１の所定の頻度範囲内にある；又は、
前記ウェアラブルデバイスが前記ユーザのシェイク命令を受信し、シェイク頻度が第２の所定頻度範囲内にある；又は、
前記ウェアラブルデバイスが前記ユーザの回転命令を受信し、回転振幅が所定の振幅範囲内にある；
という条件を満たす場合に、受信対象であると認識される、
請求項４に記載の決済方法。
【請求項６】
ウェアラブルデバイス上で決済認証を実行する決済方法であって、
前記ウェアラブルデバイスにバインドされたモバイルデバイスにより実行され：
認証要求を前記ウェアラブルデバイスへ送信するステップと；
前記認証要求に基づいて前記ウェアラブルデバイスにより送信されたユーザ鍵を受信するステップと；
前記ユーザ鍵を決済サーバへ送信するステップと；
前記決済サーバにより前記ユーザ鍵に基づいて生成された決済トークンを受信するステップと；
前記ウェアラブルデバイス上で決済認証を実行するために、前記決済トークンを前記ウェアラブルデバイスへ送信するステップと；を備える、
ウェアラブルデバイス上で決済認証を実行する決済方法。
【請求項７】
認証要求を、前記ウェアラブルデバイスにバインドされたモバイルデバイスにより、前記ウェアラブルデバイスへ送信するステップ（Ｓ２１０）と；
前記認証要求に基づいて前記ウェアラブルデバイスにより送信されたユーザ鍵を、前記モバイルデバイスにより受信するステップ（Ｓ２２０）と；
前記ユーザ鍵を、前記モバイルデバイスにより、前記決済サーバへ送信するステップ（Ｓ２３０）と；
前記ユーザ鍵に基づいて前記決済サーバにより生成された前記決済トークンを、前記モバイルデバイスにより受信するステップ（Ｓ２４０）と；
前記決済トークンを、前記モバイルデバイスにより、前記ウェアラブルデバイスへ送信するステップ（Ｓ２５０）と；を更に備える、
請求項６に記載の決済方法。
【請求項８】
前記ユーザ鍵は：
前記認証要求が受信された後、前記ウェアラブルデバイスのＢｌｕｅｔｏｏｔｈ（登録商標）アドレス及びデバイスモデルに基づいて、前記ウェアラブルデバイスにより前記ユーザ鍵をランダムに生成するステップを実行することにより生成される、
請求項７に記載の決済方法。
【請求項９】
ウェアラブルデバイスを用いる決済方法であって、
決済サーバにより実行され：
商店デバイス端末により送信される前記ウェアラブルデバイスの決済トークンを受信するステップと；
前記決済トークンに基づいて検証を実行するステップと；
前記検証の成功後、前記商店デバイス端末に対応するサービスコンテンツを前記商店デバイス端末へ送信し、前記決済トークンが検証された後、決済処理を実行するステップと；を備える、
ウェアラブルデバイスを用いる決済方法。
【請求項１０】
前記決済サーバが決済処理を実行後：
前記決済サーバにより、前記ウェアラブルデバイスにバインドされたモバイルデバイスに決済通知を送信するステップ：を更に備える、
請求項９に記載の決済方法。
【請求項１１】
請求項１又は請求項２に記載の方法に従って操作を実行するように構成された、複数のモジュールを備える、
商店デバイス端末。
【請求項１２】
請求項３〜請求項５のいずれか１項に記載の方法に従って操作を実行するように構成された、複数のモジュールを備える、
商店デバイス端末。
【請求項１３】
請求項６〜請求項８のいずれか１項に記載の方法に従って操作を実行するように構成された、複数のモジュールを備える、
商店デバイス端末。
【請求項１４】
請求項９又は請求項１０に記載の方法に従って動作を操作するように構成された、複数のモジュールを備える、
商店デバイス端末。
【手続補正２】
【補正対象書類名】明細書
【補正対象項目名】０１９９
【補正方法】変更
【補正の内容】
【０１９９】
先に説明した記憶媒体は、読み出し専用メモリ、磁気ディスク又は光ディスクであってもよい。以上、本願の実施を示して説明したが、前述した実施は例示であり、本願を限定するものではない。本願の範囲内で、当業者は、先に説明した実施に変更、修正、置換、及び変形を加えることができる。
［第１の局面］
ウェアラブルデバイスを用いる決済方法であって：
ウェアラブルデバイスにより送信される決済トークンを受信するステップと；
前記決済トークンを検証のために決済サーバへ送信するステップと；
前記検証の成功後、前記決済サーバにより返されるサービスコンテンツを受信し、前記サービスコンテンツをユーザに提供するステップと；を備え、
前記決済トークンが検証された後に、前記決済サーバが決済処理を実行する；
ウェアラブルデバイスを用いる決済方法。
［第２の局面］
前記決済サーバが決済処理を実行した後に：
前記ウェアラブルデバイスにバインドされたモバイルデバイスへ決済通知を、前記決済サーバにより送信するステップを更に備える；
第１の局面に記載のウェアラブルデバイスを用いる決済方法。
［第３の局面］
前記ウェアラブルデバイスにより送信される前記ウェアラブルデバイスの前記決済トークンは、Ｂｌｕｅｔｏｏｔｈ（登録商標）又はＮＦＣを介して受信される、
第１の局面に記載のウェアラブルデバイスを用いる決済方法。
［第４の局面］
前記ウェアラブルデバイスにより送信された前記ウェアラブルデバイスの前記決済トークンが受信される前に：
ユーザの事前に定めた命令を、前記ウェアラブルデバイスにより受信するステップと；
前記事前に定めた命令に基づいて前記決済トークンを、前記ウェアラブルデバイスにより送信するステップと；を更に備える、
第１の局面に記載のウェアラブルデバイスを用いる決済方法。
［第５の局面］
前記事前に定めた命令は：
前記ウェアラブルデバイスが前記ユーザのタップ命令を受信し、タップ頻度が第１の所定の頻度範囲内にある；又は、
前記ウェアラブルデバイスが前記ユーザのシェイク命令を受信し、シェイク頻度が第２の所定頻度範囲内にある；又は、
前記ウェアラブルデバイスが前記ユーザの回転命令を受信し、回転振幅が所定の振幅範囲内にある；
という条件を満たす場合に、受信対象であると認識される、
第４の局面に記載のウェアラブルデバイスを用いる決済方法。
［第６の局面］
認証要求を、前記ウェアラブルデバイスにバインドされたモバイルデバイスにより、前記ウェアラブルデバイスへ送信するステップと；
前記認証要求に基づき前記ウェアラブルデバイスにより送信されたユーザ鍵を、前記モバイルデバイスにより受信するステップと；
前記ユーザ鍵を、前記モバイルデバイスにより前記決済サーバへ送信するステップと；
前記ユーザ鍵に基づいて前記決済サーバにより生成された前記決済トークンを、前記モバイルデバイスにより受信するステップと；
前記決済トークンを、前記モバイルデバイスより前記ウェアラブルデバイスへ送信するステップと；を更に備える、
第１の局面に記載のウェアラブルデバイスを用いる決済方法。
［第７の局面］
前記ユーザ鍵は：
前記認証要求が受信された後、前記ウェアラブルデバイスのＢｌｕｅｔｏｏｔｈ（登録商標）アドレス及びデバイスモデルに基づいて、前記ウェアラブルデバイスにより前記ユーザ鍵をランダムに生成するステップを実行することにより生成される、
第６の局面に記載のウェアラブルデバイスを用いる決済方法。
［第８の局面］
ウェアラブルデバイスを用いる決済方法であって：
ユーザの事前に定めた命令を受信するステップと；
前記事前に定めた命令に基づいてウェアラブルデバイスの決済トークンを送信するステップと；を備え、
商店デバイス端末が前記決済トークンに基づいて検証を実行し、前記検証の成功後、サービスコンテンツを前記ユーザに提供し、前記決済トークンが検証された後、決済サーバが決済処理を実行する、
ウェアラブルデバイスを用いる決済方法。
［第９の局面］
前記商店デバイス端末が前記決済トークンに基づいて検証を実行することは：
前記ウェアラブルデバイスにより送信された前記ウェアラブルデバイスの前記決済トークンを、前記商店デバイス端末により受信するステップと；
前記決済トークンを検証のために、前記商店デバイス端末により前記決済サーバへ送信するステップと；
前記決済サーバにより返された前記サービスコンテンツを、前記商店デバイス端末により受信し、前記検証の成功後、前記サービスコンテンツを前記ユーザに提供するステップと；を備える、
第８の局面に記載のウェアラブルデバイスを用いる決済方法。
［第１０の局面］
前記事前に定めた命令は：
前記ユーザのタップ命令が受信され、タップ頻度が第１の所定の頻度範囲内にある；又は、
前記ユーザのシェイク命令が受信され、シェイク頻度が第２の所定の頻度範囲内にある；又は、
前記ユーザの回転命令が受信され、回転振幅が所定の振幅範囲内にある；
という条件を満たす場合に、受信対象であると認識される、
第８の局面に記載のウェアラブルデバイスを用いる決済方法。
［第１１の局面］
前記決済サーバが決済処理を実行した後に：
前記ウェアラブルデバイスにバインドされたモバイルデバイスへ、決済通知を、前記決済サーバにより送信するステップ；を更に備える、
第８の局面に記載のウェアラブルデバイスを用いる決済方法。
［第１２の局面］
前記ウェアラブルデバイスの前記決済トークンは、前記事前に定めた命令に基づいてＢｌｕｅｔｏｏｔｈ（登録商標）又はＮＦＣを介して送信される、
第８の局面に記載のウェアラブルデバイスを用いる決済方法。
［第１３の局面］
モバイルデバイスにより送信された認証要求を受信するステップと；
前記認証要求に基づいてユーザ鍵を送信するステップと；
前記ユーザ鍵を、前記モバイルデバイスにより、前記決済サーバへ送信するステップと；
前記決済サーバにより前記ユーザ鍵に基づいて生成された前記決済トークンを、前記モバイルデバイスにより受信するステップと；
前記モバイルデバイスにより送信された前記決済トークンを受信するステップと；を更に備える、
第８の局面に記載のウェアラブルデバイスを用いる決済方法。
［第１４の局面］
前記ユーザ鍵は：
前記認証要求が受信された後、前記ウェアラブルデバイスのＢｌｕｅｔｏｏｔｈ（登録商標）アドレス及びデバイスモデルに基づいて、前記ウェアラブルデバイスにより前記ユーザ鍵をランダムに生成するステップを実行することにより生成される、
第１３の局面に記載のウェアラブルデバイスを用いる決済方法。
［第１５の局面］
ウェアラブルデバイス上で決済認証を実行する方法であって：
認証要求をウェアラブルデバイスへ送信するステップと；
前記認証要求に基づいて前記ウェアラブルデバイスにより送信されたユーザ鍵を受信するステップと；
前記ユーザ鍵を前記決済サーバへ送信するステップと；
前記決済サーバにより前記ユーザ鍵に基づいて生成された決済トークンを受信するステップと；
前記ウェアラブルデバイス上で決済認証を実行するために、前記決済トークンを前記ウェアラブルデバイスへ送信するステップと；を備える、
ウェアラブルデバイス上で決済認証を実行する方法。
［第１６の局面］
ウェアラブルデバイスを用いる決済方法であって：
商店デバイス端末により送信されるウェアラブルデバイスの決済トークンを受信するステップと；
前記決済トークンに基づいて検証を実行するステップと；
前記検証の成功後、前記商店デバイス端末に対応するサービスコンテンツを前記商店デバイス端末へ送信し、前記決済トークンが検証された後、決済処理を実行するステップと；を備える、
ウェアラブルデバイスを用いる決済方法。
［第１７の局面］
決済処理が実行された後：
前記ウェアラブルデバイスにバインドされたモバイルデバイスに決済通知を送信するステップ：を更に備える、
第１６の局面に記載のウェアラブルデバイスを用いる決済方法。
［第１８の局面］
前記決済トークンを、前記ウェアラブルデバイスによりＢｌｕｅｔｏｏｔｈ（登録商標）又はＮＦＣを介して前記商店デバイス端末へ送信するステップ；を更に備える、
第１６の局面に記載のウェアラブルデバイスを用いる決済方法。
［第１９の局面］
認証要求を、前記ウェアラブルデバイスにバインドされたモバイルデバイスにより、前記ウェアラブルデバイスへ送信するステップと；
前記認証要求に基づいて前記ウェアラブルデバイスにより送信されたユーザ鍵を、前記モバイルデバイスにより受信するステップと；
前記モバイルデバイスにより送信された前記ユーザ鍵を受信するステップと；
前記ユーザ鍵に基づいて前記決済トークンを生成し、前記決済トークンを前記モバイルデバイスへ送信するステップと；
前記決済トークンを、前記モバイルデバイスにより、前記ウェアラブルデバイスへ送信するステップと；を更に備える、
第１６の局面に記載のウェアラブルデバイスを用いる決済方法。
［第２０の局面］
前記ユーザ鍵は：
前記認証要求が受信された後、前記ウェアラブルデバイスのＢｌｕｅｔｏｏｔｈ（登録商標）アドレス及びデバイスモデルに基づいて、前記ウェアラブルデバイスにより前記ユーザ鍵をランダムに生成するステップを実行することにより生成される、
第１９の局面に記載のウェアラブルデバイスを用いる決済方法。
［第２１の局面］
ウェアラブルデバイスを用いる決済システムであって：
ウェアラブルデバイスと、商店デバイス端末と、決済サーバとを備え：
前記ウェアラブルデバイスは、前記ウェアラブルデバイスの決済トークンを送信するように構成され；
前記商店デバイス端末は、前記決済トークンを検証のために前記決済サーバへ送信し、前記決済サーバにより返されたサービスコンテンツを受信し、前記サービスコンテンツをユーザに提供するように構成され；
前記決済サーバは、前記決済トークンに基づき検証を実行し、前記検証の成功後、前記サービスコンテンツを前記商店デバイス端末へ送信し、前記決済トークンが検証された後、決済処理を実行するように構成された；
ウェアラブルデバイスを用いる決済システム。
［第２２の局面］
前記決済サーバは、前記ウェアラブルデバイスにバインドされるモバイルデバイスへ決済通知を送信するように更に構成された、
第２１の局面に記載のウェアラブルデバイスを用いる決済システム。
［第２３の局面］
前記ウェアラブルデバイスは、前記決済トークンをＢｌｕｅｔｏｏｔｈ（登録商標）又はＮＦＣを介して送信する、
第２１の局面に記載のウェアラブルデバイスを用いる決済システム。
［第２４の局面］
前記ウェアラブルデバイスは：
前記ユーザの事前に定めた命令を受信し、前記事前に定めた命令に基づいて前記決済トークンを送信するように構成された、
第２１の局面に記載のウェアラブルデバイスを用いる決済システム。
［第２５の局面］
前記ウェアラブルデバイスが前記ユーザのタップ命令を受信し、タップ頻度が第１の所定の頻度範囲内にある；又は、
前記ウェアラブルデバイスが前記ユーザのシェイク命令を受信し、シェイク頻度が第２の所定の頻度範囲内にある；又は、
前記ウェアラブルデバイスが前記ユーザの回転命令を受信し、回転頻度が所定の振幅範囲内にある；
という条件を満たす場合に、受信対象であると認識される、
第２４の局面に記載のウェアラブルデバイスを用いる決済システム。
［第２６の局面］
前記ウェアラブルデバイスに認証要求を送信し、前記認証要求に基づいて、前記ウェアラブルデバイスにより送信されたユーザ鍵を受信し、前記ユーザ鍵を前記決済サーバへ送信し、前記受信した、前記ユーザ鍵に基づいて前記決済サーバにより生成された決済トークンを前記ウェアラブルデバイスへ送信するように構成され、前記ウェアラブルデバイスにバインドされるモバイルデバイスを更に備える、
第２４の局面に記載のウェアラブルデバイスを用いる決済システム。
［第２７の局面］
前記ユーザ鍵は：
前記認証要求が受信された後、前記ウェアラブルデバイスのＢｌｕｅｔｏｏｔｈ（登録商標）アドレス及びデバイスモデルに基づいて、前記ウェアラブルデバイスにより前記ユーザ鍵をランダムに生成するステップを実行することにより生成される、
第２６の局面に記載のウェアラブルデバイスを用いる決済システム。
［第２８の局面］
商店デバイス端末であって：
ウェアラブルデバイスにより送信される前記ウェアラブルデバイスの決済トークンを受信するように構成された第１の受信モジュールと；
前記決済トークンを検証のために決済サーバへ送信するように構成された第１の送信モジュールと；
前記検証の成功後、前記決済サーバにより返されたサービスコンテンツを受信するように構成された第２の受信モジュールと；
前記サービスコンテンツをユーザに提供するように構成された提供モジュールと；を備える、
商店デバイス端末。
［第２９の局面］
前記第１の受信モジュールは、Ｂｌｕｅｔｏｏｔｈ（登録商標）又はＮＦＣを介して、前記ウェアラブルデバイスにより送信される、前記ウェアラブルデバイスの前記決済トークンを受信する、
第２８の局面に記載の商店デバイス端末。
［第３０の局面］
ウェアラブルデバイスであって：
ユーザの事前に定めた命令を受信するように構成された第３の受信モジュールと；
前記事前に定めた命令に基づいて前記ウェアラブルデバイスの決済トークンを送信するように構成された送信モジュールと；を備え、
商店デバイス端末が前記決済トークンに基づいて検証を実行し、前記検証の成功後、商品取引サービスを前記ユーザに提供する、
ウェアラブルデバイス。
［第３１の局面］
前記送信モジュールは、前記ウェアラブルデバイスの前記決済トークンを、前記事前に定めた命令に基づいてＢｌｕｅｔｏｏｔｈ（登録商標）又はＮＦＣを介して送信する、
第３０の局面に記載のウェアラブルデバイス。
［第３２の局面］
前記ウェアラブルデバイスにバインドされたモバイルデバイスにより前記ウェアラブルデバイスへ送信された認証要求を受信するように構成された第４の受信モジュールと；
前記認証要求に基づきユーザ鍵を前記モバイルデバイスへ送信するように構成された第２の送信モジュールであって、前記モバイルデバイスは前記ユーザ鍵に基づいて前記決済トークンを前記ウェアラブルデバイスに返送する、第２の送信モジュールと；
前記モバイルデバイスにより送信された前記決済トークンを受信するように構成された第５の受信モジュールと；を更に備える、
第３０の局面に記載のウェアラブルデバイス。
［第３３の局面］
前記認証要求が受信された後に、前記ウェアラブルデバイスのＢｌｕｅｔｏｏｔｈ（登録商標）アドレス及びデバイスモデルに基づいて前記ユーザ鍵をランダムに生成するように構成された生成モジュール；を更に備える、
第３２の局面に記載のウェアラブルデバイス。
［第３４の局面］
モバイルデバイスであって：
認証要求をウェアラブルデバイスへ送信するように構成された第３の送信モジュールと；
前記認証要求に基づいて前記ウェアラブルデバイスにより送信されたユーザ鍵を受信するように構成された第６の受信モジュールと；
前記ユーザ鍵を決済サーバへ送信するように構成された第４の送信モジュールと；
前記ユーザ鍵に基づいて前記決済サーバにより生成される決済トークンを受信するように構成された第７の受信モジュールと；
前記ウェアラブルデバイス上で決済認証を実行するために、前記決済トークンを前記ウェアラブルデバイスへ送信するように構成された第５の送信モジュールと；
を備える、
モバイルデバイス。
［第３５の局面］
決済サーバであって：
商店デバイス端末により送信されるウェアラブルデバイスの決済トークンを受信するように構成された第８の受信モジュールと；
前記決済トークンに基づいて検証を実行するように構成された検証モジュールと；
前記検証の成功後、前記商店デバイス端末に対応するサービスコンテンツを前記商店デバイス端末へ送信するように構成された第６の送信モジュールと；
前記決済トークンが検証された後、決済処理を実行するように構成された決済処理モジュールと；を備える、
決済サーバ。 
［第３６の局面］
前記ウェアラブルデバイスにバインドされたモバイルデバイスに決済通知を送信するように構成された通知モジュール；を更に備える、
第３５の局面に記載の決済サーバ。